(57)【要約】第１の装置と第２の装置との間の表示切換えの方法が提供される。第１の装置および第２の装置は、相互に関連付けられた第１のマルチメディアコンテンツと第２のマルチメディアコンテンツをそれぞれ表示するのに使用され、この方法は、第１の装置によって、第１のマルチメディアコンテンツのデータを受信して表示するステップと、表示切換え命令に応答して、第１のマルチメディアコンテンツのデータを第２の装置に送信し、第２のマルチメディアコンテンツのデータを第２の装置から受信するステップと、第２のマルチメディアコンテンツの受信したデータを表示するステップとを含む。
2014511621.tif 000002
【特許請求の範囲】
【請求項１】
第１の装置と第２の装置の間で表示を切り換える方法において、前記第１の装置および前記第２の装置はそれぞれ、相互に関連付けられた第１のマルチメディアコンテンツと第２のマルチメディアコンテンツを表示するのに使用され、前記方法は、
前記第１の装置によって、前記第１のマルチメディアコンテンツのデータを受信し表示するステップと、
表示切換え命令に応答して、前記第１のマルチメディアコンテンツのデータを前記第２の装置に送信し、前記第２のマルチメディアコンテンツのデータを前記第２の装置から受信するステップと、
前記第２のマルチメディアコンテンツの前記受信したデータを表示するステップと、
を含む、前記方法。
【請求項２】
前記第１のマルチメディアコンテンツおよび前記第１のマルチメディアコンテンツはそれぞれ、前記第１の装置および前記第２の装置で表示するのに適した第１のフォーマットおよび第２のフォーマットで編成される、請求項１に記載の方法。
【請求項３】
前記第１のマルチメディアコンテンツの前記データを送信する前に、前記第１のマルチメディアコンテンツを前記第１のフォーマットから前記第２のフォーマットに変換するステップをさらに含む、請求項２に記載の方法。
【請求項４】
前記受信した第２のマルチメディアコンテンツは前記第２のフォーマットで編成されており、前記方法は、前記第２のマルチメディアコンテンツの前記データを受信した後に、前記第２のマルチメディアコンテンツを、前記第２のフォーマットから前記第１のフォーマットに変換するステップをさらに含む、請求項２に記載の方法。
【請求項５】
前記受信した第２のマルチメディアコンテンツは、前記第２の装置によって前記第２のフォーマットから前記第１のフォーマットに変換されて、前記第１のフォーマットで編成されている、請求項２に記載の方法。
【請求項６】
前記第２のマルチメディアコンテンツの別々のフォーマットを有する少なくとも２つのバージョンがローカル記憶装置に記憶されており、前記表示切換え命令に応答して、前記第１の装置で表示するのに適したフォーマットを有するバージョンが検索され、存在する場合には前記第１の装置に送信される、請求項２に記載の方法。
【請求項７】
前記第１の装置で表示するのに適したフォーマットを有するバージョンが存在しない場合には、前記第２の装置によって使用されている現在のバージョンが前記第１のフォーマットに変換されて前記第１の装置に送信される、請求項６に記載の方法。
【請求項８】
第２の装置との間で表示を交換するための第１の装置において、前記第１の装置および前記第２の装置は、相互に関連付けられた第１のマルチメディアコンテンツと第２のマルチメディアコンテンツを表示するのに使用され、前記第１の装置は、
データを送受信するように構成されたストリーミングセンターと、
前記第１のマルチメディアコンテンツのデータを表示するために復号するように構成されたトランスコーダと、
を備え、
前記トランスコーダは、表示切換え命令に応答して、前記第１のマルチメディアコンテンツのデータを、前記第２の装置に送信するように前記ストリーミングセンターに提供し、前記第２のマルチメディアコンテンツのデータを、前記ストリーミングセンターを介して前記第２の装置から受信する、前記装置。
【請求項９】
前記トランスコーダは、前記コンテンツを、あるフォーマットから別のフォーマットに変換するようにさらに構成される、請求項８に記載の装置。
【請求項１０】
前記第１のマルチメディアコンテンツのデータを、前記ストリーミングセンターに提供する前に、前記トランスコーダは、前記第１のマルチメディアコンテンツのデータを、該第１のマルチメディアコンテンツのデータが前記トランスコーダによって受信されたフォーマットである前記第１のフォーマットから、前記第２の装置で表示するのに適した第２のフォーマットに変換する、請求項９に記載の装置。
【請求項１１】
前記第２のマルチメディアコンテンツの前記受信したデータは第２のフォーマットで編成されており、前記トランスコーダは、前記第２のマルチメディアコンテンツの前記データを受信した後に、前記第２のマルチメディアコンテンツを、前記第２のフォーマットから、前記第１の装置で表示するのに適した第１のフォーマットに変換する、請求項９に記載の装置。
【発明の詳細な説明】
【技術分野】
【０００１】
本発明はマルチメディアに関し、より詳細には、表示切換え（ｖｉｅｗ  ｓｗｉｔｃｈｉｎｇ）のための方法および装置に関する。
【背景技術】
【０００２】
多くの公知の技術は、第１の装置から第２の装置へのコンテンツ再生のハンドオーバについて説明している。例えば、特許文献１は、コンテンツの再生方法について説明している。この方法は、以下のステップを含む。第１の再生装置は、コンテンツの再生中に、同期化された再生コマンドを受け取ると、第２の再生装置に、再生コンテンツに関する情報と、所定の追加時間を、コンテンツの経過した再生時間に付加することによって得られる同期化された再生開始時刻とを伝送する。第２の再生装置は、同期化された再生開始時刻から始まるコンテンツのデータを、サーバから受け取り始める。メモリに記憶されたデータが特定の量に達した後、第２の再生装置は、再生準備完了通知を第１の再生装置に伝送する。コンテンツの経過した再生時間が、同期化された再生開始時刻に到達すると、第１の再生装置は、第２の再生装置に再生開始コマンドを伝送する。このコマンドを受け取ると、第２の再生装置は、同期化された再生開始時刻から始まるコンテンツのデータの再生を開始する。
【先行技術文献】
【特許文献】
【０００３】
【特許文献１】米国特許出願公開第２００８／０１７７８２２号明細書
【発明の概要】
【０００４】
本発明の態様によれば、第１の装置と第２の装置の間で表示を切り換える方法が提供される。第１の装置および第２の装置はそれぞれ、相互に関連付けられた第１のマルチメディアコンテンツと第２のマルチメディアコンテンツを表示するのに用いられ、この方法は、第１の装置によって、第１のマルチメディアコンテンツのデータを受信して表示するステップと、表示切換え命令に応答して、第１のマルチメディアコンテンツのデータを第２の装置に送信し、第２のマルチメディアコンテンツのデータを第２の装置から受信するステップと、受信した第２のマルチメディアコンテンツのデータを表示するステップとを含む。
【０００５】
本発明の別の態様によれば、第２の装置との間で表示を交換する第１の装置が提供され、第１の装置および第２の装置は、相互に関連付けられた第１のマルチメディアコンテンツと第２のマルチメディアコンテンツを表示するのに使用され、第１の装置は、データを送受信するように構成されたストリーミングセンターと、第１のマルチメディアコンテンツのデータを表示するために復号するように構成されたトランスコーダとを備え、トランスコーダは、表示切換え命令に応答して、第１のマルチメディアコンテンツのデータを、第２の装置に送信するためにストリーミングセンターに提供し、第２のマルチメディアコンテンツのデータを、ストリーミングセンターを介して第２の装置から受信する。
【０００６】
本発明の態様によれば、２つの装置間の表示の交換（ｖｉｅｗ  ｃｈａｎｇｅ）が可能になる。
【０００７】
本発明のさらなる態様および利点、本発明の以下の詳細な説明において見いだされるであろうことを理解されたい。
【０００８】
添付図面は、本発明のさらなる理解を提供するために含まれており、本発明の原理を説明するのに役立つ説明とともに本発明の実施形態を例示するものである。したがって、本発明が、これらの実施形態に限定されることはない。
【図面の簡単な説明】
【０００９】
【図１】本発明の一実施形態にかかるシステムのアーキテクチャの一例を示すブロック図である。
【図２】本実施形態にかかる、テレビ画面上の制御インタフェースの一例を示す図である。
【図３】本実施形態にかかる表示切換えの方法を示すフローチャートである。
【発明を実施するための形態】
【００１０】
次に、本発明の一実施形態を、図面とともに詳細に説明する。以下の説明では、公知の機能および構成のいくつかの詳細な説明は、明瞭性および簡潔性のために省略されることがある。
【００１１】
マルチメディアは、テキスト、オーディオ、静止画像、アニメーション、ビデオ、および対話的コンテンツの形式を含め、様々なコンテンツの形式の組合せを用いるメディアまたはコンテンツである。今日、ますます多くの家庭が、テレビ（セットトップボックスに接続する必要があるものもある）およびタブレットなど、協働的な２つまたはそれ以上のディスプレイ装置を有するようになってきている。タブレットは、少なくともプロセッサ、ディスプレイ画面、入力装置（例えば、タッチスクリーン）ならびに有線および／または無線のネットワークインタフェースを備える。ＳＴＢ（セットトップボックス）およびタブレットは、ホームネットワークに接続される。したがって、例えばテレビ番組とそれに対応する情報などの相互に関連付けられたコンテンツの２つの部分を、テレビおよびタブレットにそれぞれ表示することができる。対応する情報には、テキスト形式、画像形式、ビデオ形式またはそれらの組合せの、テレビ番組の中の商品の広告が含まれる。
【００１２】
それに加えて、ＳＴＢおよびタブレットを使用して、多視点コンテンツの任意の２つの表示を再生することができる。多視点コンテンツには、同一のシーンに対して相互に関連付けられた２つまたはそれ以上の表示が含まれる。これらの表示は、通常、同一のシーンに向かって様々な位置に設置された同じ数のカメラによってキャプチャされる。これらのカメラによってキャプチャされた表示は、通常、ソリッド表示（ｓｏｌｉｄ  ｖｉｅｗ）と称される。ときどき、仮想表示がソリッド表示から導出されることもある。例えば、テレビがフットボールの試合の全体的な表示を表示し、タブレットが特定のフットボール選手をズームして表示する。
【００１３】
本発明は、２つの装置上でコンテンツを再生しているときに、両装置の間で表示を交換することを可能にする方法を提供する。
【００１４】
図１は、本発明の一実施形態にかかるシステムのアーキテクチャの一例を示すブロック図である。この例のシステムは、ＳＴＢ１０１およびタブレット１０２を備える。ＳＴＢ１０１は、トランスコーダ１０１２、ストリーミングセンター１０１３、および制御センター１０１１を備える。タブレット１０２は、ストリーミングセンター１０２１およびトランスコーダ１０２２を備える。
【００１５】
ＳＴＢ１０１において、モジュールは以下のように機能する。  
−  トランスコーダ１０１２は、ＴＶビデオサーバからケーブルネットワークを介して受信したケーブルＴＶのビデオのコンテンツデータを復号し、復号データを、テレビがレンダリングまたは表示するために提供するように構成される。それに加えて、トランスコーダ１０１２は、ビデオコンテンツを、あるビデオフォーマットから別のビデオフォーマットにトランスコードすることができる。この例では、トランスコーダ１０１２を使用して、ケーブルＴＶのビデオのコンテンツを、タブレットがレンダリングするのに適したフォーマットにトランスコードし、そしてタブレットから受信したビデオのコンテンツを、テレビがレンダリングするのに適したフォーマットにトランスコードする。このフォーマットは、コーデックおよび解像度を含む。  
−  ストリーミングセンター１０１３は、ストリーミングサーバとクライアントの双方の機能を含んでおり、データをストリーミングし、ストリーミングされたデータを送受信するように構成される。タブレット１０２において、ストリーミングセンター１０１３に対応するものは、ストリーミングセンター１０２１である。  
−  制御センター１０１１は、制御メッセージを、ＳＴＢ１０１のトランスコーダ１０１２とストリーミングセンター１０１３、およびタブレット１０２のストリーミングセンター１０２１とトランスコーダ１０２２に提供するように構成される。制御センター１０１１は、ユーザがＳＴＢ１０１とタブレット１０２の間で表示を交換するのを可能にする、制御インタフェースをテレビ画面上にレンダリングする。制御インタフェースは、図２で示されるような、テレビ画面の右下のオーバーラップウィンドウとすることができる。オーバーラップウィンドウは、他の位置に置くこともでき、また他の形式にすることもできることに留意されたい。オーバーラップウィンドウは、ユーザがリモコンの表示変更ボタンを押したことに応答して現れる。変形形態によれば、テレビ上には、オーバーラップウィンドウが現れない。ユーザがリモコンの表示変更ボタンを押した直後に、両装置の表示が交換される。それに加えて、制御センター１０１１は、ＳＴＢ１０１とタブレット１０２の双方のフォーマット要件（コーデックおよび画面解像度に関する情報を含む）を取得することができる。フォーマット要件は、以下の方法のうちの１つで取得される、すなわち、制御センター１０１１が、ＳＴＢ１０１とタブレット１０２の双方のフォーマット要件を前もって記憶しているか、または、必要なときに、フォーマット要件をそれぞれ記憶しているＳＴＢおよびタブレットにその要件を問い合わせることで取得される。表示交換のコマンドに際して、制御センター１０１１はメッセージを、１）ストリーミングセンター１０１３からのデータを復号し、ケーブルＴＶのビデオのコンテンツを、タブレットがレンダリングするのに適したフォーマットにトランスコードする、ＳＴＢ１０１のトランスコーダ１０１２と、２）トランスコーダ１０１２によってトランスコードされたデータを、対応するストリーミングセンター１０２１に送信し、ストリーミングセンター１０２１からデータを受信するストリーミングセンター１０１３と、３）ストリーミングセンター１０２１からのデータを復号するタブレット１０２のトランスコーダ１０２２と、４）対応するストリーミングセンター１０１３にデータを送信し、それからデータを受信するストリーミングセンター１０２１とに送信する。
【００１６】
タブレット１０２において、モジュールは以下のように機能する。  
−  トランスコーダ１０２２は、ケーブルＴＶのビデオに相互に関連付けられたビデオのコンテンツを復号するように構成される。例えば、ケーブルＴＶのビデオに相互に関連付けられたビデオは、ケーブルＴＶのビデオが属する多視点コンテンツの別の表示であるか、またはケーブルＴＶのビデオに相互に関連付けられた広告ビデオである。ケーブルＴＶのビデオに相互に関連付けられたビデオは、ローカルの記憶装置から、またはＩＰネットワークを介してインターネットから取り出すことができる。  
−  ストリーミングセンター１０２２は、ストリーミングサーバとクライアントの双方の機能を含んでおり、データをストリーミングし、ストリーミングされたデータを送受信するように構成される。
【００１７】
上記の例において、本発明は、制御センターをＳＴＢ側に配置しているが、これは、ＳＴＢが、タブレットと比較してより強力な処理能力を有しているからである。しかし、タブレットの処理能力が十分であれば、制御センターの機能をタブレット側に移すことができる。加えて、テレビがレンダリングするのに適切なものにするためのビデオコンテンツトランスコーディングも、ＳＴＢ１０１のトランスコーダ１０１２からタブレット１０２のトランスコーダ１０２２に移すことができる。さらに、本実施形態の変形形態によれば、制御センターはＳＴＢおよびタブレットとは別の専用装置に移すことができる。
【００１８】
図３は、本発明の実施形態にかかる表示切換えの方法を示す流れ図である。この方法は、以下のステップを含む。
【００１９】
ステップ３０１において、ＳＴＢは、第１のビデオまたは第１の表示のデータを第１のフォーマットで、第１のサーバから受け取る、例えば、ビデオ番組をテレビサーバからケーブルネットワークを介して受け取る。一方、タブレットは、第２のビデオまたは第２の表示のデータを第２のフォーマットで第２のサーバから受け取る、例えば、別のビデオをインターネットからＩＰネットワークを介して受け取る。第１のビデオおよび第２のビデオは、コンテンツに関して相互に関連付けられており、例えば、これらは多視点コンテンツの２つの表示である。ここで、第１のフォーマットおよび第２のフォーマットはそれぞれ、テレビおよびタブレット上にレンダリングするのに適切なものである。
【００２０】
ステップ３０２において、ユーザは、リモコンのボタンを押すことによって表示切換え命令を送る。表示切換え命令に応答して、ＳＴＢは、第１のビデオのデータを第２のフォーマットでタブレットに送り、第２のビデオのデータを第２のフォーマットで受け取る。一方、タブレットは、第１のビデオのデータをＳＴＢから第２のフォーマットで受け取り、第２のビデオのデータを第２のフォーマットでＳＴＢに送る。ここで、ＳＴＢは、第１のビデオのデータを送信する前に、第１のビデオのデータを第１のフォーマットから第２のフォーマットに変換、またはトランスコードする必要がある。フォーマット変換の詳細なステップには、制御センター１０１１が、タブレットに適したフォーマット、すなわち第２のフォーマットを決定するステップと、制御センター１０１１が、第２のフォーマットに関する情報を含む制御メッセージを送信して、変換すべきフォーマットをトランスコーダ１０１２に通知するステップと、トランスコーダ１０１２が、第１のフォーマットから第２のフォーマットへの変換を実行するステップとが含まれる。第１のビデオのデータの伝送に関して、ＳＴＢのストリーミングセンター１０１３はストリーミングサーバとして機能し、タブレットのストリーミングセンター１０２１はストリーミングクライアントとして機能する。最初に、ストリーミングサーバは、タブレット上のクライアントに対して、ストリーミングを開始するように求めるメッセージを送信する。ＳＴＢからタブレットへの方向のストリーミングでは、ストリーミング処理は同期式である、すなわち、ストリーミング処理はレンダリング処理と同時に遂行されるが、これは、第１のビデオのデータがケーブルＴＶのチャネルからリアルタイムで得られるためである。リアルタイムストリーミングをＳＴＢから受け取ると、タブレットは、第１のビデオのデータをリアルタイムで示すことになる。フォーマットの変換およびＳＴＢからタブレットへのデータ伝送には時間かかるので、第１のビデオがＳＴＢにおいてもレンダリングされていた場合には、タブレット上での第１のビデオの再生はＳＴＢよりも後になる。第２のビデオのデータ伝送に関して、第２のビデオもリアルタイムビデオであるため、ＳＴＢのストリーミングセンターとタブレットのストリーミングセンターは、同様の方法で動作する。しかし、一変形形態によれば、第２のビデオはローカル記憶装置に記憶されたファイルである。制御センター１０１１は、第２のビデオの、テレビでレンダリングするのに適したビデオバージョンが存在するか否か、すなわち、第１のフォーマットの第２のビデオがローカル記憶装置において入手可能かどうかを判断する。入手可能であれば、タブレットのストリーミングセンターは、第２のビデオを第１のフォーマットでＳＴＢにストリーミングする。入手可能でなければ、タブレットのストリームセンターは、第２のビデオを第２のフォーマットでＳＴＢにストリーミングし、制御センターは、ＳＴＢに第２のビデオを第２のフォーマットから第１のフォーマットにトランスコードするように命令する。タブレットからＳＴＢへの方向のストリーミングでは、ストリーミング処理は非同期式である、すなわち、ネットワーク状態が許せば、ストリーミング処理がレンダリング処理に先行し得るが、これはファイルがＳＴＢで記憶されているためである。
【００２１】
ステップ３０３において、ＳＴＢは、受信した第２のビデオのデータをテレビ上にレンダリングする。ここで、受信した第２のビデオのフォーマットが第２のフォーマットであれば、ＳＴＢは、第２のビデオのデータを、テレビにレンダリングする前に、第２のフォーマットから第１のフォーマットに変換する必要がある。
【００２２】
変形形態によれば、タブレットはフォーマット変換の機能を有する。表示切換え命令に際して、制御センターは、タブレットのトランスコーダ１０２２に、第２のビデオを第２のフォーマットから第１のフォーマットに変換するように命令する。上記ステップ３０２において、ＳＴＢのトランスコーダは、第２のビデオを第２のフォーマットから第１のフォーマットに変換する必要がない。
【００２３】
複数の実装形態を説明してきた。それでもなお、様々な修正形態が作成され得ることが理解されよう。例えば、様々な実装の要素を結合、追加、変更、または除去して、他の実装を作成することができる。さらに、当業者には、開示されたもの代わりに他の構造および処理を用いることができ、その結果として得られる実装は、開示された実装と少なくとも実質的に同一の方法で少なくとも実質的に同一の結果を達成するよう少なくとも実質的に同一の機能を実行することが理解されよう。したがって、これらおよび他の実装は、本発明の範囲に入るものとする。
【図２】
2014511621.tif 000003
【図３】
2014511621.tif 000004
【図１】
2014511621.tif 000005
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
第１の装置と第２の装置の間で表示を切り換える方法において、前記第１の装置および前記第２の装置はそれぞれ、第１のマルチメディアコンテンツおよび第２のマルチメディアコンテンツを表示するのに使用され、前記方法は、前記第１の装置側において、
前記第１のマルチメディアコンテンツのデータを受信し表示するステップと、
表示切換え命令に応答して、前記第１のマルチメディアコンテンツのデータを前記第２の装置に送信し、前記第２のマルチメディアコンテンツのデータを前記第２の装置から受信するステップと、
前記第２のマルチメディアコンテンツの前記受信したデータを表示するステップと、
を含む、前記方法。
【請求項２】
前記第１のマルチメディアコンテンツおよび前記第２のマルチメディアコンテンツはそれぞれ、前記第１の装置および前記第２の装置で表示するのに適した第１のフォーマットおよび第２のフォーマットで編成される、請求項１に記載の方法。
【請求項３】
前記第１のマルチメディアコンテンツのデータを送信する前に、前記第１のマルチメディアコンテンツを前記第１のフォーマットから前記第２のフォーマットに変換するステップをさらに含む、請求項２に記載の方法。
【請求項４】
前記受信した第２のマルチメディアコンテンツは前記第２のフォーマットで編成されており、前記方法は、前記第２のマルチメディアコンテンツのデータを受信した後に、前記第２のマルチメディアコンテンツを、前記第２のフォーマットから前記第１のフォーマットに変換するステップをさらに含む、請求項２に記載の方法。
【請求項５】
前記受信した第２のマルチメディアコンテンツは、前記第２の装置によって前記第２のフォーマットから前記第１のフォーマットに変換されて、前記第１のフォーマットで編成されている、請求項２に記載の方法。
【請求項６】
前記第２のマルチメディアコンテンツの別々のフォーマットを有する少なくとも２つのバージョンがローカル記憶装置に記憶されており、前記表示切換え命令に応答して、前記第１の装置で表示するのに適したフォーマットを有するバージョンが検索され、存在する場合には前記第１の装置に送信される、請求項２に記載の方法。
【請求項７】
前記第１の装置で表示するのに適したフォーマットを有するバージョンが存在しない場合には、前記第２の装置によって使用されている現在のバージョンが前記第１のフォーマットに変換されて前記第１の装置に送信される、請求項６に記載の方法。
【請求項８】
第２の装置との間で表示を交換するための第１の装置において、前記第１の装置および前記第２の装置はそれぞれ、第１のマルチメディアコンテンツおよび第２のマルチメディアコンテンツを表示するのに使用され、前記第１の装置は、
データを送受信するように構成されたストリーミングセンターと、
前記第１のマルチメディアコンテンツのデータを表示するために復号するように構成されたトランスコーダと、
を備え、
前記トランスコーダは、表示切換え命令に応答して、前記第１のマルチメディアコンテンツのデータを、前記第２の装置に送信するように前記ストリーミングセンターに提供し、前記第２のマルチメディアコンテンツのデータを、前記ストリーミングセンターを介して前記第２の装置から受信する、前記第１の装置。
【請求項９】
前記トランスコーダは、前記コンテンツを、あるフォーマットから別のフォーマットに変換するようにさらに構成される、請求項８に記載の装置。
【請求項１０】
前記第１のマルチメディアコンテンツのデータを、前記ストリーミングセンターに提供する前に、前記トランスコーダは、前記第１のマルチメディアコンテンツを、該第１のマルチメディアコンテンツが前記トランスコーダによって受信されたフォーマットである前記第１のフォーマットから、前記第２の装置で表示するのに適した第２のフォーマットに変換する、請求項９に記載の装置。
【請求項１１】
前記第２のマルチメディアコンテンツの前記受信したデータは第２のフォーマットで編成されており、前記第２のマルチメディアコンテンツの前記データを受信した後に、前記トランスコーダは、前記第２のマルチメディアコンテンツを、前記第２のフォーマットから、前記第１の装置で表示するのに適した第１のフォーマットに変換する、請求項９に記載の装置。
【国際調査報告】
2014511621.tif 000006
2014511621.tif 000007